(57)【要約】【課題】クローズド性とオープン性とを調和させつつ給電機能に優れて、知的労働の生産性向上に貢献し得るオフィス用の家具装置を提供する。【解決手段】家具装置は、椅子ユニット６と電源ユニット１５とを有する。椅子ユニット６は、座１と背もたれ２とを左右サイドパネル３，４及びバックパネル５で囲った構造である。着座者はサイドパネル３とバックパネル５とで隠れるため、クローズド性を確保できる。かつ、着座者は室の空間に向いているため、オープン性も確保されていて、他人とのコミュニケーションを取ることも容易である。椅子ユニット６の後ろコーナー部１４に電源ユニット１５が配置されているため、ケーブルの散乱現象を生じることなく、テーブル板７で使用する機器等に給電できる。背中合わせに配置した２つの家具装置で１つの電源ユニット１５を共用することも可能である。【選択図】図１
2017131574.tif 000002
【特許請求の範囲】
【請求項１】
座と背もたれ、及び、前記座を左右両側から囲う左右サイドパネルを備えた椅子ユニットを有しており、前記椅子ユニットは、左右の前コーナー部と左右の後ろコーナー部とを有する平面視略四角形の形態であって、
前記椅子ユニットにおける左右の後ろコーナー部のうち片方又は両方の個所に、給電手段を設けた電源ユニットが配置されている、
家具装置。
【請求項２】
前記電源ユニットは柱状の形態であって、椅子ユニットにおける一方の後ろコーナー部の個所に、着座者の頭と同じ程度かそれより高い高さで配置されており、前記電源ユニットの少なくとも前面にコンセントを設けている一方、
前記電源ユニットの前方に位置した一方のサイドパネルは、着座者の腹部程度の高さで、他方の後ろコーナー部の手前に位置した他方のサイドパネルは、前記電源ユニットと同じ程度の高さであり、かつ、前記背もたれの後ろには、前記電源ユニット及び他方のサイドパネルと同じ程度の高さのバックパネルが配置されている、
請求項１に記載した家具装置。
【請求項３】
前記左右のサイドパネルのうち片方のサイドパネルの前部に、着座者の手前に位置したテーブル板を取り付けている、
請求項１又は２に記載した家具装置。
【請求項４】
前記一方のサイドパネルに、少なくともノートパソコンを載せ得る程度の大きさのテーブル板が、着座者の手前に位置した状態と着座者の手前から離れた状態とに姿勢変更可能に取り付けられている、
請求項２に記載した家具装置。
【請求項５】
前記電源ユニットの前面と後面とにコンセントを設けており、
電源ユニットを備えていない家具装置を背中合わせに配置したときに、当該電源ユニットを備えていない家具装置にて電源ユニットから給電可能になっている、
請求項１〜４のうちのいずれかに記載した家具装置。
【請求項６】
座と背もたれ、及び、前記座を左右両側から囲う左右サイドパネルを備えた椅子ユニットを有しており、前記椅子ユニットは、左右の前コーナー部と左右の後ろコーナー部とを有する平面視略四角形の形態であって、
前記椅子ユニットにおける左右の前コーナー部のうち片方又は両方の個所に、給電手段を設けた電源ユニットが配置されている、
家具装置。
【発明の詳細な説明】
【技術分野】
【０００１】
本願発明は、椅子ユニットと電源ユニットとを組み合わせた家具装置に関するものである。
【背景技術】
【０００２】
従来、オフィスでの執務用家具として机と椅子がセットで使用されており、例えば、一人用又は複数人用の机を左右に並べて、多数人が一列に並んで執務を行うスタイルが多かった。机の列を背中合わせに配置することもよく行われている。これらの伝統的なワーキングスタイルでは、特定の人が特定の席を使用するという固定アドレス方式が一般的である。
【０００３】
しかし、近年、オフィスでのワーキングスタイルが大きく変貌しつつある。例えば、特定の席を持たずに、好きな席について仕事をするフリーアドレス方式（ノンテリトアル方式）や、１人用に独立した席で執務するスタイル、或いは、複数人が使用できる席が固まっているグループワーキングスタイルなどである。
【０００４】
これらのワーキングスタイルの変化の背景の一つとして、作業ツールとしてのノートパソコンやタブレット端末などの情報通信機器の小型化がある。つまり、これらノートパソコンやタブレット端末などは持ち運び自在であるため、特定の席で執務する必要性が無くなり、その結果、フリーアドレス方式が大きく進展している。
【０００５】
他の背景として、ワーカーの創作能力を引き出すための環境作りが進んだことが挙げられる。すなわち、ワーカーの創作能力を高めて知的生産性を上げるには、思索に集中できる環境やリラックスできる環境、或いは、同僚等と討議等して知的刺激を受けることが容易な環境が必要であり、そこで、席の独立化（セル化）やグループ化が進展している。従って、作業の目的に応じて席を選択できるようにするのが好ましいと云える。
【０００６】
ワーカーの集中力やリラックス性との関係では、ワーカーを取り巻く環境のクローズド性とオープン性とのバランスが重要である。例えば、完全な個室であると、外からの刺激が薄れ過ぎて緊張感が無くなり、却って生産性が落ちてしまうことが多い。他方、広いフロアーに点在しているテーブルを使用して１人で執務する場合のように、過度にオープンな環境であると、他人の動きや会話で気が散ったり他人の視線が気になったりするため、思索に集中し難いのみならず、他人に遠慮してリラックスした姿勢（例えば背伸びや瞑想）も取りづらいと云える。
【０００７】
いずれにしても、ノートパソコンのような電子機器はワーカーにとって必須のツール（アイテム）であるので、家具装置にはコンセント等の電源手段が必要である。
【０００８】
そこで、実際に提案されている家具（什器）に眼をやると、例えば特許文献１（特に図１０参照）及び特許文献２（特に図２参照）には、床に立設した支柱と天板とを組み合わせた家具装置において、支柱の個所にコンセトを設けることが開示されている。
【０００９】
特許文献１，２は多数の人が空間を完全に共用するオープン方式家具装置であるが、特許文献３（特に図１４）には、スクリーンで仕切った空間にテーブルと椅子とを配置したセル式家具装置が開示されている。
【先行技術文献】
【特許文献】
【００１０】
【特許文献１】特開２００３−１３８７７１号公報
【特許文献２】特開２００３−１１９８８０号公報
【特許文献３】特開平０９−２９９１６７号公報
【発明の概要】
【発明が解決しようとする課題】
【００１１】
特許文献１，２は、机上で使用する電気・電子機器の電源の確保は容易であるが、隣の人との間に仕切りがない完全なオープン方式であるため、集中しにくくて、クリエイティブな作業には不向きであると云える。
【００１２】
他方、特許文献３の家具装置はセル方式であるため空間の独立性は高いが、テーブル板はスクリーン（間仕切壁）に接して配置しており、人（ワーカー）は、家具装置の開口部に背を向けてスクリーンに向いて作業を行うことになるため、遮蔽性が高すぎて、却って集中力が低下したり、他人とのコミュニケーションも取りづらいという問題が懸念され（上司の立場では、仕事をしているかどうかを確認し難くて、管理性が悪いという問題もある。）。
【００１３】
また、特許文献３では、机上で使用する電子・電気機器の電源は、例えば、コンセント付きのケーブルを使用して、ケーブルを床から机上に引き上げるといったことになるが、これでは見た目が悪いのみならず、一々ケーブルを用意せねばならないため、プラグの挿脱も面倒になりやすい。
【００１４】
本願発明はこのような現状に鑑み成されたものであり、クローズド性とオープン性とを調和させて知的生産性の向上に貢献し得ると共に、ノートパソコン等の機器への給電にも配慮したユーザーフレンドリーな家具装置を提供せんとするものである。 
【課題を解決するための手段】
【００１５】
本願発明は、各請求項で特定された様々な構成を含んでいる。このうち請求項１の発明に係る家具装置は、座と背もたれ、及び、前記座を左右両側から囲う左右サイドパネルを備えた椅子ユニットを有しており、前記椅子ユニットは、左右の前コーナー部と左右の後ろコーナー部とを有する平面視略四角形の形態になっているという基本構成において、前記椅子ユニットにおける左右の後ろコーナー部のうち片方又は両方の個所に、給電手段を設けた電源ユニットが配置されている。
【００１６】
なお、電源ユニットの電源手段としては、通常のコンセントを設けることを基本として、例えば、携帯電話やスマートフォンの充電ポートを設けることが可能である。電源ユニットから引き出したケーブルにコンセント等のコネクタを設けることも可能である。また、本願発明は、サイドパネル等の他の部位にコンセント等のコネクタ類を設けることを排除するものではない。
【００１７】
更に、電源ユニットには、ＬＡＮポートのような通信用コネクタを設けるなど、給電以外の機能を持たせてもよい。また、家具装置をフリーアドレス方式に使用する場合、電源ユニットにディスプレイやランプなどを設けて、その家具装置が予約済みであるか否かを表示できるようにすることも可能である。
【００１８】
請求項２の発明は、請求項１の展開例の一つであり、まず、前記電源ユニットは柱状の形態であって、椅子ユニットにおける一方の後ろコーナー部の個所に、着座者の頭と同じ程度かそれより高い高さで配置されており、前記電源ユニットの少なくとも前面にコンセントを設けている。
【００１９】
そして、前記電源ユニットの前方に位置した一方のサイドパネルは、着座者の腹部程度の高さで、他方の後ろコーナー部の手前に位置した他方のサイドパネルは、前記電源ユニットと同じ程度の高さであり、かつ、前記背もたれの後ろには、前記電源ユニット及び他方のサイドパネルと同じ程度の高さのバックパネルが配置されている。
【００２０】
請求項３の発明は請求項１又は２を好適に展開したものであり、この発明では、前記左右のサイドパネルのうち片方のサイドパネルの前部に、着座者の手前に位置したテーブル板を取り付けている。
【００２１】
請求項４の発明は請求項２を好適に具体化している。すなわち、請求項２において、前記一方のサイドパネルに、少なくともノートパソコンを載せ得る程度の大きさのテーブル板が、着座者の手前に位置した状態と着座者の手前から離れた状態とに姿勢変更可能に取り付けられている。
【００２２】
家具装置は背中合わせに配置されることが多いが、請求項５はこの点を考慮している。すなわち、この発明は、請求項１〜４の任意の請求項において、前記電源ユニットの前面と後面とにコンセントを設けており、電源ユニットを備えていない家具装置を背中合わせに配置したときに、当該電源ユニットを備えていない家具装置にて電源ユニットから給電可能になっている。
【００２３】
請求項６の発明では、請求項１と同じ基本構成において、前記椅子ユニットにおける左右の前コーナー部のうち片方又は両方の個所に、給電手段を設けた電源ユニットが配置されている。 
【発明の効果】
【００２４】
本願発明では、左右両側にサイドパネルがあるため、片方又は両方のサイドパネルを、例えば着座者が隠れる程度の高さに設定することにより、クローズド性を高めて知的生産性の向上に貢献できる環境を実現できる。背もたれを高い高さに設定することにより、背もたれ２を遮蔽手段に兼用することも可能である。
【００２５】
そして、着座者は、その前に配置したテーブル板を使用して作業（執務）を行えるが、特許文献３の図１４のセル式家具装置との相違点は、着座者（ワーカー）が室の空間を向いていることであり、これにより、外からの刺激を受けることが可能になると共に、他人とのコミュニケーションも取りやすくなっている。
【００２６】
そして、請求項１の発明では、椅子ユニットの後ろコーナー部の個所に電源ユニットを設けているため、プラグの抜き差しはごく簡単であり、また、ケーブルが床に散乱して美観を悪化させるようなこともない。つまり、ケーブルを美麗に処理しつつ、ノートパソコン等に簡単に給電することができる。ＬＡＮケーブル等の通信線を接続する場合も、同様である。
【００２７】
請求項２の構成を採用すると、電源ユニットの手前に位置したサイドパネルは高さが低くなっているため、圧迫感を無くす（開放感を高める）ことができる。また、一方のサイドパネルを小物類や書類などの物品載置台として使用できるため、重宝である。肘当てとして使用できるようにすると、リラックス機能の向上にも貢献できる。更に、電源ユニットから引き出した電源ケーブルは、一方のサイドパネルの上に這わせたらよいため、ケーブルが床に落ちたり座に落ちたりすることを防止して、ケーブルの処理機能にも優れている。
【００２８】
更に、他方のサイドパネルとバックパネルとは着座者が隠れる程度の高さになっているため、適度のクローズド性も確保されている。従って、クリエイティブな作業に好適な環境になっていると云える。
【００２９】
執務用の家具装置としてテーブル板が不可欠であり、この場合、独立した小さいテーブルを座の前方に設置することも可能であるが、請求項３のようにサイドパネルにテーブル板を設けると、それだけ構造が簡単になる利点がある。また、椅子ユニットにテーブル板が常備されているため、テーブルを用意する手間は不要であり、従って、ユーザーフレンドリーであって、フリーアドレス方式のワーキングシステムにも好適である。
【００３０】
特に、請求項４のように，電源ユニットの手前に位置した一方のサイドパネルにテーブル板を取り付けると、電源ユニットから引き出したケーブルは、一方のサイドパネルの上面を経由してテーブル板に引出せるため、ケーブルが散乱したり垂れたりすることを防止して、見た目を一層良くすることができる共に、ケーブルが人の邪魔になることも確実に防止できる。
【００３１】
家具装置は、その複数台を背中合わせにして配置することが多い。この場合、電源ユニットを備えた家具装置を配置することは可能であるが、請求項５の構成を採用すると、前後背中合わせに配置された２つの家具装置で１つの電源ユニットを共用できるため、それだけ構造を簡単化してコストを抑制できる利点である。電源ユニットを着脱可能な構造にしておくと、１種類の家具装置を、電源ユニットのあるものと無いものとに兼用できるため、部材の共通化によるコスト抑制に大きく貢献できる。
【００３２】
請求項６の発明では、電源ユニットは前コーナー部に配置されているため、プラグの抜き差しは一層簡単なる。また、テーブル板で使用する機器との距離が短くなるため、ケーブルの露出を大幅に抑制できる利点もある。更に、電源ユニットを利用してテーブル板を取り付けることも可能である。 
【図面の簡単な説明】
【００３３】
【図１】第１実施形態を示す図であり、（Ａ）（Ｂ）は全体の斜視図、（Ｃ）は変形例の部分斜視図である。
【図２】第１実施形態を示す図で、（Ａ）は平面図、（Ｂ）（Ｃ）は斜視図、（Ｄ）は電源ユニットの斜視図である。
【図３】（Ａ）は複数の家具装置を左右に並設した状態での平面図、（Ｂ）は（Ａ）の斜視図、（Ｃ）は多数の家具装置を左右と背中合わせとに配置した状態の斜視図である。
【図４】（Ａ）は図３（Ｃ）の平面図、（Ｂ）は分離平面図である。
【図５】（Ａ）は第２実施形態の斜視図、（Ｂ）は第３実施形態の斜視図である。
【図６】（Ａ）は第４実施形態の斜視図、（Ｂ）は第５実施形態の斜視図、（Ｃ）は第６実施形態の正面図である。
【図７】第７実施形態を示す図で、（Ａ）は前方から見た全体斜視図、（Ｂ）は電源ユニットを後ろから見た部分斜視図である。
【発明を実施するための形態】
【００３４】
次に、本願発明の実施形態を図面に基づいて説明する。本願では、方向を特定するため前後・左右の文言を使用するが、この前後・左右の方向は、椅子ユニットに普通に腰掛けた人の向きを基準にしている。正面視は、着座した人と相対向した方向から見た状態である。まず、第１実施形態から説明する。
【００３５】
(1).椅子ユニットの構造
まず、図１〜４に示す第１実施形態を説明する。まず、主として図１，２を参照して構造を説明する。本実施形態の家具装置は、座１と背もたれ２とを有しており、座１の左右両側にサイドパネル３，４を配置し、背もたれ２の後ろにはバックパネル５が配置されている。そして、これら座１と背もたれ２とサイドパネル３，４とバックパネル５とを主体として椅子ユニット６が構成されている。従って、椅子ユニット６は、座１と背もたれ２とが、サイドパネル３，４及びバックパネル５からなる囲い枠で三方から囲われた構造になっている。
【００３６】
左サイドパネル３はバックパネル５とは数センチの厚さであり、合板等の木質系板で中実に構成したり、ハニカム材の表示に化粧板を張った積層構造にしたり、或いは、表裏の金属板の間を空間と成した中空構造などに形成している。左サイドパネル３とバックパネル５とは一体に連続しているが、別部材に構成して、端部を突き合わせてもよい。左サイドパネル３，４とバックパネル５及び背もたれ２は、着座者が隠れる程度の高さに設定されている（一般成人の身長よりは少し低い。）。背もたれ２はハイバック仕様になっているが、ミドルバック仕様やローバック仕様に設定することも可能である。その場合、ヘッドレストを設けてもよい。
【００３７】
右サイドパネル４は着座者の腹部程度の高さであり、小物類などを載置できる面積があり、例えば２０センチ前後の横幅を有している。例えば、スマートフォン、携帯電話、タプレット端末、小型ノートパソコンのような通信機器を初めとして、筆記具、書類、時計など、様々な物を載置できる。マウスを直接に又はパッドを介して載置することにより、マウスを操作することも可能である。また、人が肘を載せることも可能である。
そして、右サイドパネル４は、天板４ａと外側板４ｂと内側板４ｃと底板４ｄとを有しており、手前に向けて開口している。従って、右サイドパネル４の内部を荷物（物品）の収納部として利用できる。また、内側板４ｃは座１の上面までの高さになっている。従って、右サイドパネル４は座１の上方にも開口している。
【００３８】
右サイドパネル４における天板４ａの前部には、テーブル板７を取り付けている。テーブル板７は、右サイドパネル４の天板４ａに固定したブラケット板８に取り付けている。ブラケット板８は、外側に位置した垂下部８ａを有しており、垂下部８ａの外面は、右サイドパネル４における側板４ｂの外面と同一面を成している。そこで、右サイドパネル４の側板４ｂには、ブラケット８の垂下部８ａが嵌まり込む段部９を前後全長にわたって形成している。
【００３９】
ブラケット８を設けたことによって段差が生じることを防止するため、右サイドパネル４のうちブラケット８の後ろ側には、ブラケット８と同じ逆Ｌ形の補助板１０を重ねている。
【００４０】
テーブル板７は左右に二つ折り式（折り畳み式）になっており、図示しないヒンジにより、先端側を基端側の上面に重ねることができる。従って、人は容易に着座・離席できる。テーブル板７の先端部は基端部に対して直立姿勢に跳ね上げて、基端部は鉛直姿勢に跳ね上げ回動できるように構成することも可能である。この場合は、テーブル板７の全体を右サイドパネル４の上に後退させ得るため、座１の前方を大きく空けることができる。
【００４１】
図１（Ａ）に一点鎖線で示すように、テーブル板７を１枚板に形成して、全体を上向きに跳ね上げできるように構成することも可能である。或いは、図１（Ｃ）に示すように、テーブル板７を２つ折り方式にしつつ、基端部は右サイドパネル４の上面に折り重ねて、先端部は、右サイドパネル４の外面に形成した段部９に嵌め入れできるように構成してもよい。
【００４２】
座１は、例えば座板にクッションを張った構造であり、サイドパネル４の内側板４ｃと左サイドパネル３とにステー又はブラケットを介して支持されている。他方、背もたれ２は背板にクッション材を張った構造であり、バックパネル５に固定されている。なお、背もたれ２が弾性手段に抗して後傾するロッキング構造を採用することも可能である。この場合は、背もたれ２の後傾に連動して座１が前進する構成も採用可能である。
【００４３】
椅子ユニット６は、左右横長の前後ベースフレーム１１を備えており、サイドパネル３，４とバックパネル５はベースフレーム１１に載っている。また、座１の下方には前パネル１３を設けている。座１は左右サイドパネル３，４の前端よりも後ろにずれて配置されている。換言すると、左右サイドパネル３，４の前端は、座１の手前にはみ出している。そこで、前パネル１３の手前下方に空間が空くことを防止するため、底板１２を設けている。
【００４４】
座１と背もたれ２とは同じ左右横幅に設定されており、バックパネル５の右端部は、背もたれ２の右側面の外側において手前に曲げられている。従って、バックパネル５の右側部には前向き部５ａが形成されており、右サイドパネル４の後端が、バックパネル５の前向き部５ａに手前から当接又は密接している。
【００４５】
(2).電源ユニット
左右のサイドパネル３，４は平面視で平行の姿勢であり、従って、椅子ユニット６は、左右の前コーナー部と左右の後ろコーナー部とを有する平面視で四角形になっている。そして、右サイドパネル４の後端はバックパネル５における前向き部５ａの前端で止まっており、かつ、バックパネル５の前向き部５ａは右サイドパネル４よりも左右横幅が小さいため、右の後ろコーナー部１４の個所には、右サイドパネル４とバックパネル５とで形成された角形の凹所１４ａが形成されており、この凹所１４ａに、バックパネル５と同じ高さの電源ユニット１５を配置している。
【００４６】
電源ユニット１５は、角部を丸めた四角形状であり、中空構造になっている。従って、内部にケーブルを挿通できる。上端には蓋１６を設けている。そして、図２に（Ｄ）に示すように、電源ユニット１５の前面と後面とに、プラグを挿脱できるコンセント１７と、ＬＡＮポート１８とが設けられている（電話線のような通信線用のポートを設けてもよい。）。コンセント１６及びＬＡＮポート１８は、右サイドパネル４の天板４ａを挟んだ上下に設けている。
【００４７】
電源ユニット１５の前面は右サイドパネル４の内部に露出しているので、電源等のケーブルは、天板４ａの下方からもテーブル板７に向けて引き出すことができる。コンセント１７やＬＡＮポート１８は複数設けることができるが、その場合、上下に並べたり左右に並べたりと、配置の態様は任意に設定できる。
【００４８】
電源ユニット１５は、バックパネル５に対して取り外し可能に連結されている。連結手段としては、例えば、Ｈ形の連結具を使用して、連結具をバックパネル５の前向き部５Ａに落とし込み係合させてから、電源ユニット１５を、連結具には上から嵌め込むことができる。もとより、ビスで直接に締結したり、両者に重なる当て部材を用意して、これを、それぞれビスで電源ユニット１５とバックパネル５とに締結したりすることもできる。いずれにしても、電源ユニット１５は、バックパネル５の後ろにはみ出たり、右サイドパネル４の右外側にはみ出たりすることがないように配置するのが好ましい。
【００４９】
なお、図１（Ｂ）に一点鎖線で示すように、左サイドパネル３などに、オプション品として灯具１９を取り付けることができる。灯具１９を左サイドパネル３に取り付ける場合は、灯具のためのコンセント１９ａを左サイドパネル３に配置するのが好ましい。
【００５０】
図１（Ｂ）に一点鎖線で示すように、右サイドパネル４に、乳白色のアクリル板のように、透光性はあるが非透明な遮蔽板２０を取り付けることも可能である。テーブル板７が外側まで倒れる場合は、遮蔽板２０はテーブル板７の後ろに配置したらよい。左サイドパネル３に、右サイドパネル４の上面と同じ程度の高さの切り開き部２１を形成して、この切り開き部２１に遮蔽板２０を配置してもよい。左サイドパネル３の一部を透光性の遮蔽板２０で構成すると、開放性が高くなると共に採光性がアップする。
【００５１】
電源ユニット１５には、下方から電源線を引き込むことができる。床がアクセスフロアーになっている場合は、フロアーの中空部から電源線を引出したらよいので、ケーブルが外に露出することを皆無にできる。
【００５２】
テーブル板７で使用するノートパソコンの駆動電源は、一般に、６ボルトや１２ボルトの直流になっている。そこで、電源ユニット１５にバッテリーを配置して、バッテリーから直流電流を給電することも可能である。灯具１９としてＬＥＤ方式を使用する場合とは、１２ボルト又は２４ボルトの直流電源が使用されているので、この場合も、バッテリーで対応可能である。従って、電源ユニット１５は、バッテリーケースとして使用することも可能である。
【００５３】
(3).第１実施形態のまとめ
椅子ユニット６は、サイドパネル３，４とバックパネル５とで三方から囲われているが、左サイドパネル３とバックパネル５とは着座者を隠す高さであるため、作業エリアの独立性が高くなって、作業に集中しやすい環境になる。また、人は室の広い空間を向くことになるため、他人とのコミュニケーションが阻害されることもない。従って、クローズト性とオープン性とを調和させて、知的労働の生産性が高い環境を提供できる。
【００５４】
図３（Ａ）（Ｂ）のように、多数の椅子ユニット６を左右に並設すると、列の一端に位置した家具装置を除いて、他の家具装置は左右を高さの高いサイドパネル３で囲われるため、独立性は高くなって集中力を発揮させやすい環境になる。
【００５５】
そして、後ろコーナー部１４に電源ユニット１５を配置しているため、テーブル板７で使用するノートパソコンのような電子・電気機器の電源を取り出すことは、ごく簡単である。ケーブルは右サイドパネル４の上面に這わせたらよいため、ケーブルが床に散乱するようなことはなくて、見栄えがよいと共に、人の邪魔になることもない。
【００５６】
本実施形態のように、テーブル板７を折り畳み式や跳ね上げ式に構成すると、着座・離席の容易性を損なうことなく、テーブル板７を使いやすい位置に配置できる利点がある。なお、テーブル板７は、前後位置を調節できる状態で右サイドパネル４に取り付けることも可能である。
【００５７】
図３（Ａ）（Ｂ）では、複数の家具装置を左右に一直線に揃えた状態で配置しており、このように、横に一直線に並べた家具装置の群を背中合わせに配置することも可能である。この場合は、各家具装置に電源ユニット１５を設けることになる。
【００５８】
他方、図３（Ｃ）及び図４では、左右に並べた家具装置の列を最中合わせに配置しているが、前後の列の家具装置は、真横に一直線に配置するのではなく、着座者から見て左隣の家具装置が後ろにずれるように、前後方向に段階的にずらした状態で配置している。すなわち、左隣の椅子ユニット６のコーナー部１４の凹所１４ａが、右隣の家具装置の後ろにはみでるようにして、多数の家具装置を左右に配置している。
【００５９】
そして、前後の列のうち片方ではその前部に電源ユニット１５を配置して、他方の列では、その一端のものを除いて電源ユニット１５は設けていない。２つの列が、平面視で階段状の形態を成していることにより、２つの列が互いに嵌まり合い、これにより、１つの電源ユニット１５を前後の家具装置で共用できる（既述のように、電源ユニット１５の前後両面にコンセント１７を設けている。）。この場合は、前後に隣り合った家具装置は、電源ユニット１５の左右横幅の分だけ左右方向にもずれている。
【００６０】
このように、本実施形態では、前後の家具装置で１つの電源ユニット１５を共用できるため、それだけコストを抑制できる利点がある。また、隣り合った家具装置が前後にずれているため、真横に並べた場合に比べて、左右に隣り合った人の間の距離も大きくなる。従って、各家具装置の独立性は高くなる。
【００６１】
(4).他の実施形態
次に、図５以下に示す他の実施形態を説明する。図４（Ａ）に示すのは、第１実施形態の変形例であり、電源ユニット１５は第１実施形態と同じ構造になっている。これらはテーブル板７の取り付け構造の別例であり、（Ａ）に示す第２実施形態では、テーブル板７を、右サイドパネル４の外側面に設けた収納部２３に格納できるようにしている。
【００６２】
収納部２３には、図示しないスライダーを昇降自在に装着しており、スライダーの上端に、テーブル板７の基端部をヒンジで連結している。図示は省略しているが、右サイドパネル４の外側板４ｂには、水平状に倒したテーブル板７を支持するためのブラケットを設けている。テーブル板７を収納部２３に格納した状態で、テーブル板７は、側板４ｂの外側にはみ出ないようになっている。従って、２つの家具装置を、互いに密着した状態で左右に並設できる。
【００６３】
（Ｂ）に示す第３実施形態では、テーブル板７は、右サイドパネル４に水平旋回自在に連結している。テーブル板７の上面と天板４ａの上面とは同一面を成している。このため、テーブル板７の基端部は半円状に形成している一方、右サイドパネル４の天板４ａは、テーブル板７の旋回を許容するように円弧状に形成している。テーブル板７は、右サイドパネル４の外側板４ｂに設けたブラケットに連結している。
【００６４】
図６（Ａ）に示す第４実施形態では、テーブル板７は、左サイドパネル３に跳ね上げ回動自在に装着されている。従って、テーブル板７は、前後長手の回動軸心回り回動する。この実施形態では、右サイドパネル４の天板４ａと左サイドパネル３の内面との両方に、コンセント２４やＬＡＮポート２５を設けているが、これらコンセント２４やＬＡＮポート２５に接続されたケーブルは、パネル３，４，５の内部を介して電源ユニット１５に挿通されている。電源ユニット１５は、第１実施形態と同じ構造である。
【００６５】
図６（Ｂ）に示す第５実施形態では、テーブル板７は、右サイドパネル４の天板４ａの前端部に水平旋回自在に装着している。そして、電源ユニット１５は、バックパネル５の端部に一体に設けている。この例のように、電源ユニット１５は必ずしも着脱式である必要はない。
【００６６】
図６（Ｃ）に示す第６実施形態は、第１実施形態の変形例である。この実施形態では、右サイドパネル４における天板４ａの下面と外側板４ｂの内面とに、それぞれコンセント１７を設けている。
【００６７】
図７に示す第７実施形態では、サイドパネル３，４とバックパネル５とは、強度を有する不透明な基部３′，４′，５′と、これに上から装着された薄い遮蔽板３″，４″，５″とで構成されている。遮蔽板３″，４″，５″は、例えば、透光性はあるが不透明な樹脂板であり、着座者を囲う高さになっている。遮蔽板３″，４″，５″は透光性があるため、着座者を囲う高さであっても、圧迫感じはない。
【００６８】
本実施形態では、右サイドパネル４の基部４″は、人の肘を載せ得る程度の左右幅を有しており、右サイドパネル４の基部４″の前端に電源ユニット１５を連結している。コンセント１７やＬＡＮポート１８を電源ユニット１５の後面に設けているが、テーブル板７に向いた内側面に設けたり、後面と内側面との両方に設けたりしてもよい。
【００６９】
この実施形態では、テーブル板７は、電源ユニット１５に取り付けている。すなわち、電源ユニット１５の略下半部を横向きに開口させて、その内部に支柱２６を配置し、支柱２６の上端に取り付けたブラケット２７にテーブル板７を固定している。ブラケット２７葉電源ユニット１５に直接取り付けてもよいし、支柱２６を電源ユニット１５に水平回転自在に装着することにより、テーブル板７を水平旋回方式に構成してもよい。或いは、テーブル板７は、前後スライド方式とすることも可能である。
【００７０】
電源ユニット１５の前面上部には、席の予約状態を表示する表示パネル２８を設けている。表示パネル２８は、使用者の氏名を表示できるように液晶方式でもよいし、単に、「予約済」の表示を点灯させるだけのようなランプ方式であってもよい。図２（Ｄ）に示すように、表示パネル２８を設けることは、第１実施形態等の他の電源ユニット１５にも適用できる。電源ユニット１５は、灯具の取り付けに使用することも可能である。
【００７１】
本実施形態では、左サイドパネル３には肘当て板２９を設けている。右サイドパネル４の天板４ａも肘当て板として機能しているので、本実施形態では、リラックスした姿勢を取りやすいと云える。天板４ａ及び肘当て板２９の下方は空間なっているので、これに荷物をおくことができる。
本実施形態の２つの家具装置を、使用者が相対向する状態で、前端同士を突き合わせて前後に配置したり（すなわち、全体としてＣ形になるように配置したり）、使用者が逆向きの状態で、前端同士を突き合わせて左右に並設したりすることができる。前後に対向した姿勢に配置すると、商談や秘密性の高い打合せに好適である。
いずれにしても、前後の家具装置の前端にそれぞれ電源ユニット１５を設けて、電源ユニットを互いに当接させてもよいし、前後の家具装置で１つの電源ユニットを共用してもよい。電源ユニット１５の前後両面にコンセント１７等を設けておくこと、及び、電源ユニットを椅子ユニット６に対して着脱式に構成することは、本実施形態でも、２つの家具装置に共用できるようにするために有益である。
電源ユニット１５を共用しつつ２つの家具装置を対向して配置した場合は、１つの電源ユニット１５に前後２つのテーブル板７を設けてもよいし、電源ユニット１５に、その前後両側に張り出す１枚のテーブル板７を取り付けてもよい。当然ながら、テーブル板７は着脱式であってもよい。実施形態は、使用者の右に電源ユニットが配置された右使い仕様になっているが、左使い仕様に構成できることはいうまでもない。電源ユニット１５を左右両側に配置することも可能である。
【００７２】
以上、本願発明の実施形態を説明したが、本願発明は他にも様々に具体化できる。例えば、テーブル板やサイドパネルの天板に無線給電装置を組み込んだり、テーブル板に、ノートパソコンと情報をやり取りするための無線アンテナを組み込むことも可能である。テーブル板に無線アンテナを組み込むと、セキュリティを確保しつつ、各種情報へのアクセスを容易に行える利点がある。
【００７３】
電源ユニットの形状は、様々に具体化できる。例えば、円形や楕円形、六角形など、様々な平面形状を採用できる。下半部は角形に形成して上半部は四角形に形成するなと、上下において形状を変えることも可能である。また、電源ユニットは、例えは座面よりも高い位置に配置するなどすることも可能であり、家具装置の全高にわたって延びている必要はない。要は、人がプラグ類を容易に挿脱できる高さに配置されていたらよい。
【産業上の利用可能性】
【００７４】
本願発明は、実際に家具装置に具体化できる。従って、産業上利用できる。
【符号の説明】
【００７５】
１  座
２  背もたれ
３，４  サイドパネル
５  バックパネル
６  椅子ユニット
７  テーブル板
１４  一方の後ろコーナー部
１４ａ  凹所
１５  電源ユニット
１７  コンセント
１８  ＬＡＮポート
【図１】
2017131574.tif 000003
【図２】
2017131574.tif 000004
【図３】
2017131574.tif 000005
【図４】
2017131574.tif 000006
【図５】
2017131574.tif 000007
【図６】
2017131574.tif 000008
【図７】
2017131574.tif 000009
【手続補正書】
【提出日】平成28年2月1日(2016.2.1)
【手続補正１】
【補正対象書類名】図面
【補正対象項目名】図３
【補正方法】変更
【補正の内容】
【図３】
2017131574.tif 000010
【手続補正２】
【補正対象書類名】図面
【補正対象項目名】図４
【補正方法】変更
【補正の内容】
【図４】
2017131574.tif 000011